(57)【要約】【課題】本発明は、燃料をガス化レトルトの一端に導入させ、ガスと残留物を他端から除去させることによって作動する従来のガス化装置のもつ問題を解決するように設計されている。これは、しばしば、粉末炭残留物をガスと共に噴出させ、ガス洗浄の要求を増加させる。本発明は、好ましくは嫌気性の条件下で燃料の供給を行うラムとスクロール供給装置の組合せである燃料供給装置を介して、ガスを燃料入口端でレトルトから除去することによってこの問題を解決する。【選択図】図１
2010525096.tif 000002
【特許請求の範囲】
【請求項１】
ガス化装置供給システムであって、ガス化レトルトで生成されたガスが、レトルトの前記燃料入口端で抽出されるシステム。
【請求項２】
前記ガス化レトルトで生成された前記ガスが、前記燃料供給装置を介して抽出されるシステム。
【請求項３】
前記ガス化は、嫌気性で行われる、請求項１又は２のいずれか１項に記載のシステム。
【請求項４】
ガス化レトルトからの炭及び残留物の抽出が、ガスの流出と空気の流入を回避する機構によって行なわれる、請求項３に記載のシステム。
【請求項５】
前記機構は、スクロール及び回転バルブである、請求項４に記載のシステム。
【請求項６】
前記燃料供給装置は、前記ガス化レトルトへの排出前に冷却される、請求項１乃至５のいずれか１項に記載のシステム。
【請求項７】
前記冷却は、１つ又は２つ以上の冷却水ジャケットによって行われる、請求項６に記載のシステム。
【請求項８】
さらにガス化プロセスのガス生成物を冷却する、請求項６又は７に記載のシステム。
【請求項９】
油及び/又はタールが前記ガス化レトルトに供給される、請求項１乃至８のいずれか１項に記載のシステム。
【請求項１０】
油及び/又はタールが、前記レトルト内に延びる１つ又は２つ以上の管を介して前記ガス化レトルトに供給される、請求項９に記載のシステム。
【請求項１１】
油及び/又はタールが燃料供給スクロールの中心コアを形成する管を介して前記ガス化レトルトに供給される、請求項１０に記載のシステム。
【請求項１２】
油及び/又はタールがガス化プロセスで生成される、請求項１０又は１１に記載のシステム。
【請求項１３】
燃料が、１つ又は２つ以上のラムによって対応している閉じたギロチンバルブに押し付けられ、次いで、ギロチンバルブが開き、燃料はラムによって中間チャンバに向かって及び回転スクロールの方へ押され、回転ガス化装置内に送出される、請求項１２に記載のシステム。
【発明の詳細な説明】
【技術分野】
【０００１】
従来のガス化装置は、燃料をガス化レトルトの一端で導入させガスと残留物を他端から除去させることによって稼動する。これは、しばしば、粉末炭残留物をガスと共に噴出させ、ガス洗浄の要求を増加させる。
【発明の概要】
【発明が解決しようとする課題】
【０００２】
本発明は、好ましくは嫌気性の条件下で燃料の供給を行うラムとスクロール供給装置の組合せである燃料供給装置を介してガスを燃料入口端でレトルトから取り出すことによってこの問題の解決を提供する。
【課題を解決するための手段】
【０００３】
本発明の好ましい実施形態は、燃料分解プロセスを助けるためにスクロール供給装置への燃料の送出前に、１つ又は２つ以上のラム供給装置から燃料を受け入れる中間チャンバをラム供給装置とスクロール供給装置の間に有する。燃料供給を増加させ又は変化させ、さらにその流れを一定にする１つ以上のラムを有してもよい。入口の装置のハウジング内には、レトルトからの生成ガスを抽出する冷却ガス出口設備が設けられる。レトルト内の短い滞溜時間により、燃料の第１工程で分解されなかった油及びタールを、さらなるガス化のために、入口装置を経て又は変形例として炭出口から導入してもよい。導入された燃料は、放出された高温ガス放出への接近及びレトルト内の高温による早期のガス化を防止するために供給システム内で冷却される必要がある。
【０００４】
今、本発明の特定の実施形態を、単なる例示として、添付図面を参照して記述する。
【図面の簡単な説明】
【０００５】
【図１】中間チャンバ及び単一ラムとともに燃料供給装置とガス排出装置の組合せを有するガス化装置レトルトの長手方向断面図である。
【図２】中間チャンバ及び単一ラム供給装置とともに装置のＡ−Ａでの断面図である。
【図３】中間チャンバ及び複ラム供給装置とともに装置のＡ−Ａでの断面図である。
【発明を実施するための形態】
【０００６】
回転レトルト（１５）でガス化するのに適当なサイズの乾燥燃料が、供給ホッパー（１）に送入され、供給ラム（２）が水圧ラム（１０）によってガイド（３）に沿って引っ込められている間に、そこからその乾燥燃料は、ラム管（１２）の中へ重力供給される。供給ラム（２）は、戻され、燃料装入物を閉じたギロチンバルブ１１に押し付ける。次いで、ギロチンバルブが開き、燃料ペレットは供給ラムによって動力ユニット（５）によって駆動されるスクロール（４）に向かって押される。燃料は、チューブ端（９）でスクロール駆動部からガス化装置内に放出される。
【０００７】
本発明の好ましい実施形態では、ラム供給装置とスクロールの間に中間チャンバ（１３）が設けられる。１つ以上の供給ラムを、中間チャンバに又はスクロール供給装置に連結してもよく、これは、燃料供給のありうる変化及びスクロールへの燃料の流れの平滑さのメリットを与える。スクロールは、中空の中心コア（６）の周りに取付けられ、洗浄工程でガス生成物から除去された油やタールは、中空の中心コア（６）を通って、燃料と共にレトルトに導入される。
【０００８】
ガス化レトルト内は高温のため且つ放出されたガスのため、早期のガス化を防止するために、スクロールは、入口/出口（８）を介して導入されたり除去されたりする水によって冷却され且つシール（１７）によって回転レトルトに対してシールされる固定チューブ（１６）内に収容される。
【０００９】
冷却水ジャケットが、スクロールの周りに、燃料がガス化レトルト内に落下するその端部（９）まで延びる。ガス化レトルト（１５）の内部に連結し、且つガスを管（１４）を介して抽出するチューブ（７）を介して、ガス排出口が、冷却されたチューブ（１６）内に収容される。炭は、ガスの流出及び空気の進入を阻止するスクロール（１０）及び回転バルブによってレトルトから除去される。
【００１０】
本発明がその発明の特定の実施形態に関して記述されているが、さまざまな変更及び修正を本発明の精神及び範囲から逸脱することなく当業者によってなすことができることは明らかであろう。
【図１】
2010525096.tif 000003
【図２】
2010525096.tif 000004
【図３】
2010525096.tif 000005
【手続補正書】
【提出日】平成21年12月24日(2009.12.24)
【手続補正１】
【補正対象書類名】特許請求の範囲
【補正対象項目名】全文
【補正方法】変更
【補正の内容】
【特許請求の範囲】
【請求項１】
ガス化装置供給システムであって、ガス化レトルトで嫌気性的に生成されたガスが、前記レトルトの前記燃料入口端で抽出され、炭及び残留物の抽出が、ガスの流出と空気の流入を回避するスクロール及び回転バルブ機構によって燃料入口端と反対側の前記レトルトの端で行なわれる、前記システム。
【請求項２】
前記ガス化レトルトで生成された前記ガスが、前記燃料供給装置を介して抽出される、請求項１に記載のシステム。
【請求項３】
前記燃料供給装置は、１つ又は２つ以上の冷却水ジャケットによって前記ガス化レトルトへの排出前に冷却される、請求項１又は２のいずれか１項に記載のシステム。
【請求項４】
ガス化プロセスのガス生成物は、１つ又は２つ以上の冷却水ジャケットによって前記ガス化レトルトから排出時に冷却される、請求項３に記載のシステム。
【請求項５】
油及び/又はタールが、前記レトルト内に延びる１つ又は２つ以上の管を介して前記ガス化レトルトに供給される、請求項１乃至４のいずれか１項に記載のシステム。
【請求項６】
油及び/又はタールが燃料供給スクロールの中心コアを形成する管を介して前記ガス化レトルトに供給される、請求項５に記載のシステム。
【請求項７】
油及び/又はタールがガス化プロセスで生成される、請求項５又は６に記載のシステム。
【国際調査報告】
2010525096.tif 000006
2010525096.tif 000007
2010525096.tif 000008